【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
第１のメモリと第２のメモリとを備える部品注文支援装置によって行われる部品の注文支援方法であって、
前記部品注文支援装置が、仕入先及び部品群ごとの注文から納品までに要するリードタイムを第１のメモリに格納する第１の記憶ステップと、
前記部品注文支援装置が、仕入先及び部品群ごとの納品可能日を示す納品カレンダーを第２のメモリに格納する第２の記憶ステップと、
前記部品注文支援装置が所定の入力日を取得する入力日取得ステップと、
前記部品注文支援装置が、前記第１のメモリから、所定の仕入先及び部品群に対するリードタイムを読み出す第１の読み出しステップと、
前記部品注文支援装置が、前記第２のメモリから、前記所定の仕入先及び部品群に対する納期カレンダーを読み出す第２の読み出しステップと、
前記部品注文支援装置が、前記入力日取得ステップで取得された入力日に、前記第１の読み出しステップで読み出されたリードタイムを加算した日が、前記第２の読み出しステップで読み出された納品カレンダーにより示される納品可能日と一致するか否かを判別する判別ステップと、
前記判別ステップで一致すると判別されたときには、前記部品注文支援装置が、前記入力日取得ステップで取得された入力日を、前記所定の仕入先及び部品群に対する注文日として特定して報知する注文日報知ステップと
を含むことを特徴とする部品の注文支援方法。
【請求項２】
前記部品の注文支援方法は、さらに、
前記部品注文支援装置が、前記所定の仕入先及び部品群の納期カレンダーに示される、前記判別ステップで一致すると判別された納品可能日と次の納品可能日とに基づいて、前記注文日に注文されるべき部品群の利用期間を特定して報知する利用期間報知ステップを含む
ことを特徴とする請求項１記載の部品の注文支援方法。
【請求項３】
前記第１の記憶ステップでは、仕入先及び部品群ごとに、当該仕入先の部品群に対して確定された確定期間と、当該仕入先の部品群の利用開始日から納品日までの先行日数とを対応付けて前記第１のメモリに格納することにより、仕入先および部品群ごとのリードタイムを格納し、
前記第１の読み出しステップでは、所定の仕入先及び部品群に対して確定された確定期間と、当該確定期間に対応する先行日数とを読み出し、前記確定期間および前記先行日数との差を算出することによって、前記所定の仕入先及び部品群に対するリードタイムを読み出し、
前記利用期間報知ステップは、
前記部品注文支援装置が、前記判別ステップで一致すると判別された納品可能日に、前記第１の読み出しステップで読み出された前記先行日数を加算することで、開始日を特定する開始日特定サブステップと、
前記部品注文支援装置が、前記次の納品可能日に前記先行日数を加算することで、終了日を特定する終了日特定サブステップと、
前記部品注文支援装置が、前記開始日特定サブステップで特定された開始日から、前記終了日特定サブステップで特定された終了日までの期間を、前記利用期間として報知する報知サブステップとを含む
ことを特徴とする請求項２記載の部品の注文支援方法。
【請求項４】
前記部品の注文支援方法は、さらに、
前記判別ステップで一致すると判別されたときには、前記部品注文支援装置が、前記所定の仕入先及び部品群を、注文の対象となる仕入先及び部品として報知する注文対象報知ステップを含む
ことを特徴とする請求項１〜３の何れか１項に記載の部品の注文支援方法。
【請求項５】
前記部品の注文支援方法は、さらに、
前記部品注文支援装置が、前記判別ステップで一致すると判別された納品可能日を、前記所定の仕入先及び部品群に対する納品日として報知する納品日報知ステップを含む
ことを特徴とする請求項１〜４の何れか１項に記載の部品の注文支援方法。
【請求項６】
部品の注文を支援する部品注文支援装置であって、
所定の入力日を取得する入力日取得手段と、
仕入先及び部品群ごとの注文から納品までに要するリードタイムを保持する第１のメモリと、
前記第１のメモリから、所定の仕入先及び部品群に対するリードタイムを読み出す第１の読出手段と、
仕入先及び部品群ごとの納品可能日を示す納品カレンダーを保持する第２のメモリと、
前記第２のメモリから、前記所定の仕入先及び部品群に対する納期カレンダーを読み出す第２の読出手段と、
前記入力日取得手段で取得された入力日に、前記第１の読出手段で読み出されたリードタイムを加算した日が、前記第２の読出手段で読み出された納品カレンダーにより示される納品可能日と一致するか否かを判別する判別手段と、
前記判別手段で一致すると判別されたときには、前記入力日取得手段で取得された入力日を、前記所定の仕入先及び部品群に対する注文日として特定して報知する注文日報知手段と
を備えることを特徴とする部品注文支援装置。
【請求項７】
前記部品注文支援装置は、さらに、
前記第２の読出手段で読み出された納期カレンダーに示される、前記判別手段で一致すると判別された納品可能日と次の納品可能日とに基づいて、前記注文日に注文されるべき部品群の利用期間を特定して報知する利用期間報知手段
を備えることを特徴とする請求項６記載の部品注文支援装置。
【請求項８】
前記第１のメモリは、仕入先及び部品群ごとに、当該仕入先の部品群に対して確定された確定期間と、当該仕入先の部品群の利用開始日から納品日までの先行日数とを対応付けて保持することにより、仕入先および部品群ごとのリードタイムを保持し、
前記第１の読出手段は、所定の仕入先及び部品群に対して確定された確定期間と、当該確定期間に対応する先行日数とを読み出し、前記確定期間および前記先行日数との差を算出することによって、前記所定の仕入先及び部品群に対するリードタイムを読み出し、
前記利用期間報知手段は、
前記判別手段で一致すると判別された納品可能日に、前記第１の読出手段で読み出された前記先行日数を加算することで、開始日を特定する開始日特定手段と、
前記次の納品可能日に前記先行日数を加算することで、終了日を特定する終了日特定手段と、
前記開始日特定手段で特定された開始日から、前記終了日特定手段で特定された終了日までの期間を、前記利用期間として報知する報知手段とを備える
ことを特徴とする請求項７記載の部品注文支援装置。
【請求項９】
前記部品注文支援装置は、さらに、
前記判別手段で一致すると判別されたときには、前記所定の仕入先及び部品群を、注文の対象となる仕入先及び部品として報知する注文対象報知手段
を備えることを特徴とする請求項６〜８の何れか１項に記載の部品注文支援装置。
【請求項１０】
前記部品注文支援装置は、さらに、
前記判別手段で一致すると判別された納品可能日を、前記所定の仕入先及び部品群に対する納品日として報知する納品日報知手段
を備えることを特徴とする請求項６〜９の何れか１項に記載の部品注文支援装置。
【請求項１１】
請求項１〜５の何れか１項に記載の部品の注文支援方法に含まれるステップをコンピュータに実行させることを特徴とするプログラム。
【手続補正２】
【補正対象書類名】明細書
【補正対象項目名】００１０
【補正方法】変更
【補正の内容】
【００１０】
上記目的を達成するために、本発明に係る部品の注文支援方法は、第１のメモリと第２のメモリとを備える部品注文支援装置によって行われる部品の注文支援方法であって、前記部品注文支援装置が、仕入先及び部品群ごとの注文から納品までに要するリードタイムを第１のメモリに格納する第１の記憶ステップと、前記部品注文支援装置が、仕入先及び部品群ごとの納品可能日を示す納品カレンダーを第２のメモリに格納する第２の記憶ステップと、前記部品注文支援装置が所定の入力日を取得する入力日取得ステップと、前記部品注文支援装置が、前記第１のメモリから、所定の仕入先及び部品群に対するリードタイムを読み出す第１の読み出しステップと、前記部品注文支援装置が、前記第２のメモリから、前記所定の仕入先及び部品群に対する納期カレンダーを読み出す第２の読み出しステップと、前記部品注文支援装置が、前記入力日取得ステップで取得された入力日に、前記第１の読み出しステップで読み出されたリードタイムを加算した日が、前記第２の読み出しステップで読み出された納品カレンダーにより示される納品可能日と一致するか否かを判別する判別ステップと、前記判別ステップで一致すると判別されたときには、前記部品注文支援装置が、前記入力日取得ステップで取得された入力日を、前記所定の仕入先及び部品群に対する注文日として特定して報知する注文日報知ステップとを含むことを特徴とする。
【手続補正３】
【補正対象書類名】明細書
【補正対象項目名】００１２
【補正方法】変更
【補正の内容】
【００１２】
ここで、前記部品の注文支援方法は、さらに、前記部品注文支援装置が、前記所定の仕入先及び部品群の納期カレンダーに示される、前記判別ステップで一致すると判別された納品可能日と次の納品可能日とに基づいて、前記注文日に注文されるべき部品群の利用期間を特定して報知する利用期間報知ステップを含むことを特徴としても良い。例えば、前記第１の記憶ステップでは、仕入先及び部品群ごとに、当該仕入先の部品群に対して確定された確定期間と、当該仕入先の部品群の利用開始日から納品日までの先行日数とを対応付けて前記第１のメモリに格納することにより、仕入先および部品群ごとのリードタイムを格納し、前記第１の読み出しステップでは、所定の仕入先及び部品群に対して確定された確定期間と、当該確定期間に対応する先行日数とを読み出し、前記確定期間および前記先行日数との差を算出することによって、前記所定の仕入先及び部品群に対するリードタイムを読み出し、前記利用期間報知ステップは、前記部品注文支援装置が、前記判別ステップで一致すると判別された納品可能日に、前記第１の読み出しステップで読み出された前記先行日数を加算することで、開始日を特定する開始日特定サブステップと、前記部品注文支援装置が、前記次の納品可能日に前記先行日数を加算することで、終了日を特定する終了日特定サブステップと、前記部品注文支援装置が、前記開始日特定サブステップで特定された開始日から、前記終了日特定サブステップで特定された終了日までの期間を、前記利用期間として報知する報知サブステップとを含む。